(57)【要約】  空気圧式廃棄物搬送システムにおいて出口空気を処理するための方法であって、出口空気は、少なくとも部分的に、廃棄物搬送に用いられる搬送空気である方法。出口空気は、外方吹出パイプから、少なくとも１つの出力開口と少なくとも１つの第２の開口とを備えるチャンバー内に吹き出され、第２の開口において、吸引効果が出口空気の吹出によって達成され、そのため、出口空気によって達成された吸引効果の結果として、追加の空気が、少なくとも１つの第２の開口を介してチャンバー内の出口空気の領域内にもたらされ、出口空気及び追加の空気は、チャンバー内において、出口空気及び追加の空気の混合物が排出される出力開口２２よりも前で互いに少なくとも部分的に混合する。本発明はまた、装置にも関する。
2013541483.tif 000002
【特許請求の範囲】
【請求項１】
空気圧式廃棄物搬送システムにおいて出口空気を処理するための方法であって、前記出口空気は、少なくとも部分的に、廃棄物搬送に用いられる前記搬送空気である方法であって、
少なくとも１つの出力開口（２２）と少なくとも１つの第２の開口（１６、１７）とを備えるチャンバー（２４）内に、前記出口空気を外方吹出パイプ（１）から吹き出し、
前記第２の開口において前記出口空気の前記吹出による吸引効果を実現し、その出口空気によって達成された前記吸引効果の結果として、追加の空気が、前記少なくとも１つの第２の開口（１６、１７）を介して前記チャンバー内の前記出口空気の領域内に移送され、
前記出口空気及び前記追加の空気は、前記チャンバー（２４）内において、前記出口空気及び追加の空気の混合物が排出される前記出力開口（２２）よりも前で互いに少なくとも部分的に混合することを特徴とする、空気圧式廃棄物搬送システムにおいて出口空気を処理するための方法。
【請求項２】
請求項１に記載の方法であって、
前記チャンバー（２４）は、前記外方吹出パイプ（１）の少なくとも外方吹出端（１１）の周りに配置された外側パイプ（１０）から形成される方法。
【請求項３】
請求項１または２に記載の方法であって、
少なくとも１つの第２の開口（１６）は、外側パイプ（１０）の底部（１２）と前記外方吹出パイプ（１）との間に形成されている方法。
【請求項４】
請求項１から３のいずれか１項に記載の方法であって、
少なくとも１つの第２の開口（１７）は、前記外方吹出パイプの前記出口空気によって達成される前記吸引効果が作用するようになっている空間内へ前記外側パイプ（１０）の前記壁を貫通して配置されている方法。
【請求項５】
請求項１から４のいずれか１項に記載の方法であって、
少なくとも１つの第２の開口（１７）は、前記外方吹出パイプ（１）の前記外方吹出端（１１）の前記ポイントから前記外方吹出方向に対して反対方向に延在するエリアにおいて前記外側パイプ（１０）の前記壁に配置されている方法。
【請求項６】
請求項１から５のいずれか一項に記載の方法であって、
前記外側パイプ（１０）の前記底部（１２）は、前記廃棄物ステーション（２５）又は前記廃棄物室の前記上部に又は該上部付近に延在し、そのため、前記廃棄物ステーション又は前記廃棄物室の前記空間から、前記外側パイプ（１０）と前記外方吹出パイプ（１）との間の前記空間への媒体接続が存在し、前記外方吹出によって、吸引が、前記外側パイプの前記底部の前記開口（１６）を介して前記廃棄物ステーション又は前記廃棄物室の前記空間に達成されるようになっている方法。
【請求項７】
請求項１から６のいずれか一項に記載の方法において、前記出口空気の前記吹出において生成される騒音がサウンドディフューザー（２０）を用いて減衰される方法。
【請求項８】
請求項１から７のいずれか一項に記載の方法において、前記除去される空気は、前記出力開口（２２）の付近においてガイド面（２１）を用いて誘導又は拡散される方法。
【請求項９】
請求項１から８のいずれか１項に記載の方法において、前記チャンバー（２４）は、前記出力開口（２２）に向かって拡大する方法。
【請求項１０】
請求項１から９のいずれか一項に記載の方法において、外方吹出パイプ（１）が、複数の外方吹出パイプ（１）によって形成されるグループに配置される方法。
【請求項１１】
請求項９に記載の方法において、前記外方吹出パイプ（１）は、それらの吹出が互いに増強し合い、前記追加の空気に対して該吹出によって達成される前記吸引効果を増強するように隣接するよう取り付けられている方法。
【請求項１２】
請求項１０または１１に記載の方法において、複数の外方吹出パイプ（１）によって形成されたグループの前記外方吹出空気は、第２のチャンバー（２８）内に吹き出され、該第２のチャンバーは、外方吹出パイプによって形成されたグループの周りに少なくとも部分的に形成され、該第２のチャンバーにおいて、追加の空気が、前記出口空気によって達成される前記吸引効果の結果として、少なくとも１つの吸引開口（２６）を介して前記出口空気の領域内にもたらされることを特徴とし、前記出口空気及び前記追加の空気は、前記第２のチャンバー（２８）内において、前記出口空気及び追加の空気の混合物が排出される前記出力開口（２７）よりも前で、互いに少なくとも部分的に混合することを特徴とする方法。
【請求項１３】
空気圧式廃棄物搬送システムにおいて出口空気を処理するための装置であって、前記出口空気は、少なくとも部分的に、廃棄物搬送に用いられる前記搬送空気であり、該装置は、外方吹出パイプ（１）を備えるとともに、前記出口空気を前記外方吹出パイプ内に案内するためのデバイスも備える装置において、
前記外方吹出パイプ（１）の外方吹出端（１１）は、少なくとも１つの出力開口（２２）と少なくとも１つの第２の開口（１６、１７）とを備えるチャンバー（２４）内に収容され、前記少なくとも１つの第２の開口（１６、１７）において、前記出口空気の前記吹出によって吸引効果を実現して、その出口空気によって達成された前記吸引効果の結果として、追加の空気が、少なくとも１つの第２の開口（１６、１７）を介して前記チャンバー内の前記出口空気の領域内にもたらされ、
前記出口空気及び前記追加の空気は、前記チャンバー（２４）内において、前記出口空気及び追加の空気の混合物が排出される前記出力開口（２２）よりも前で互いに少なくとも部分的に混合するようになっていることを特徴とする、空気圧式廃棄物搬送システムにおいて出口空気を処理するための装置。
【請求項１４】
請求項１３に記載の装置であって、前記チャンバー（２４）は、前記外方吹出パイプ（１）の少なくとも前記外方吹出端（１１）の周りに配置された外側パイプ（１０）から形成される装置。
【請求項１５】
請求項１３または１４に記載の装置であって、少なくとも１つの第２の開口（１６）は、前記外側パイプ（１０）の前記底部（１２）と前記外方吹出パイプ（１）との間に形成されている装置。
【請求項１６】
請求項１３から１５のいずれか一項に記載の装置であって、少なくとも１つの第２の開口（１７）は、前記外方吹出パイプの前記出口空気によって達成される前記吸引効果が作用するようになっている空間内へ前記外側パイプ（１０）の前記壁を貫通して配置されている装置。
【請求項１７】
請求項１３から１６のいずれか一項に記載の装置であって、
少なくとも１つの第２の開口（１７）は、前記外方吹出パイプ（１）の前記外方吹出端（１１）の前記ポイントから前記外方吹出方向に対して反対方向に延在するエリアにおいて前記外側パイプ（１０）の前記壁に配置されている装置。
【請求項１８】
請求項１３から１７のいずれか一項に記載の装置において、前記外側パイプ（１０）の前記底部（１２）は、前記廃棄物ステーション（２５）又は前記廃棄物室の前記上部に又は該上部付近に延在し、そのため、前記廃棄物ステーション又は前記廃棄物室の前記空間から、前記外側パイプ（１０）と前記外方吹出パイプ（１）との間の前記空間への媒体接続が存在し、前記外方吹出によって、吸引が、前記外側パイプの前記底部の前記開口（１６）を介して前記廃棄物ステーション又は前記廃棄物室の前記空間に達成されるようになっている装置。
【請求項１９】
請求項１３から１８のいずれか一項に記載の装置において、該装置は、外方吹出によって生成される前記騒音を減衰するための手段（１８、１９、２０）を備える装置。
【請求項２０】
請求項１３から１９のいずれか一項に記載の装置において、該装置は、除去される前記空気流を前記出力開口（２２）付近において誘導又は拡散するためのガイド面（２１）を備える装置。
【請求項２１】
請求項１３から２０のいずれか一項に記載の装置において、前記チャンバー（２４）は、前記出力開口（２２）に向かって拡大する装置。
【請求項２２】
請求項１３から２１のいずれか一項に記載の装置において、外方吹出パイプ（１）が、複数の外方吹出パイプ（１）によって形成されるグループに配置される装置。
【請求項２３】
請求項２２に記載の装置において、外方吹出パイプ（１）は、それらの吹出が互いに増強し合い、該吹出によって達成される前記吸引効果を増強するように隣接するよう取り付けられている装置。
【請求項２４】
請求項２２または２３に記載の装置において、前記外方吹出パイプ（１）の前記外方吹出端（１１）、又は複数の外方吹出パイプによって形成されたグループの前記外側パイプ（１０）の前記出力開口（２２）は、少なくとも１つの出力開口（２７）と少なくとも１つの第２の開口（２６）とを備える第２のチャンバー（２８）内に収容され、該第２のチャンバー（２８）において、前記出口空気によって達成された前記吸引効果の結果として、追加の空気が、少なくとも１つの吸引開口（２６）を介して前記出口空気の領域内にもたらされることを特徴とし、前記出口空気及び前記追加の空気は、前記第２のチャンバー（２８）内において、前記出口空気及び追加の空気の混合物が排出される前記出力開口（２７）よりも前で互いに少なくとも部分的に混合する装置。
【請求項２５】
請求項２２から２４のいずれか１項に記載の装置において、前記第２のチャンバー（２８）は、外方吹出パイプ（１）または外側パイプ（１０）の少なくとも前記外方吹出端の周りに配置された外側パイプ（２５）のグループから形成されている装置。
【発明の詳細な説明】
【技術分野】
【０００１】
本発明の対象は、請求項１のプリアンブルに規定される方法である。
【０００２】
本発明の対象はまた、請求項１３のプリアンブルに規定される装置である。
【０００３】
本発明は、包括的には、部分真空搬送システム等の空気圧式材料搬送システムに関し、より詳細には、家庭廃棄物の搬送等の廃棄物の収集及び搬送に関する。このようなシステムは特に、特許文献１から９に提示されている。
【０００４】
廃棄物が吸引及び／又は圧力差によって配管内を搬送されるシステムが当該技術分野で知られている。これらのシステムでは、廃棄物は、配管内の長い距離を搬送される。装置は特に、様々な施設における廃棄物の搬送に用いられる。圧力差を達成するために部分真空装置が使用されることが、これらのシステムにとって典型的であり、この装置では、部分真空が、真空ポンプ又はエジェクター装置等の部分真空発生器によって搬送パイプ内で達成される。搬送パイプは通常、少なくとも１つの弁手段を備え、弁手段を開閉することによって、搬送パイプ内に入る補充（replacement）空気が調節される。部分真空搬送システムには、通常、出口パイプにおいて、騒音問題とともに、塵問題及び微粒子問題が存在する。特に廃棄物搬送システムでは、不快と知覚される臭気公害が、多くの場合、出口空気に発生する。液体空気エジェクターを部分真空発生器として用いることによって臭気公害を削減する努力がなされてきた。液体、より詳細には液体ミストは、エジェクターが吸引を高めるとともに臭気及び粒子を束縛する作動媒体として機能する。このようなものの幾つかは、特に、特許文献１０から特許文献１２に提示されている。加えて、臭気公害を削減する液体がエジェクターポンプ内に導入される解決策が当該技術分野で知られている。これらの解決策は、かなり良好に機能していたが、或る特定のタイプの部分真空発生器を必要とし、この特定のタイプの部分真空発生器は、必ずしも全ての廃棄物移送システムに適しているとは限らない。
【先行技術文献】
【特許文献】
【０００５】
【特許文献１】国際公開第２００９／０８０８８０号パンフレット
【特許文献２】国際公開第２００９／０８０８８１号パンフレット
【特許文献３】国際公開第２００９／０８０８８２号パンフレット
【特許文献４】国際公開第２００９／０８０８８３号パンフレット
【特許文献５】国際公開第２００９／０８０８８４号パンフレット
【特許文献６】国際公開第２００９／０８０８８５号パンフレット
【特許文献７】国際公開第２００９／０８０８８６号パンフレット
【特許文献８】国際公開第２００９／０８０８８７号パンフレット
【特許文献９】国際公開第２００９／０８０８８８号パンフレット
【特許文献１０】国際公開第２００５／０８５１０４号パンフレット
【特許文献１１】国際公開第２００５／０８５１０５号パンフレット
【特許文献１２】国際公開第２００７／０６５９６６号パンフレット
【発明の概要】
【発明が解決しようとする課題】
【０００６】
本発明の目的は、廃棄物システムの外方吹出パイプに関する新たなタイプの解決策を達成することである。この解決策によれば、従来技術の解決策の欠点が回避される。本発明の更に別の目的は、システムの出口空気の臭気公害を減少させることができるとともに、外方吹出パイプに関連して起こり得る騒音問題を減少させることができる解決策を達成することである。
【課題を解決するための手段】
【０００７】
本発明は、空気体積内の臭気の発生源を希釈する追加の空気が出口空気と結び付けられるという概念に基づいている。
【０００８】
本発明による方法は、少なくとも１つの出力開口と少なくとも１つの第２の開口とを備えるチャンバー内に、前記出口空気を外方吹出パイプから吹き出し、前記第２の開口において前記出口空気の前記吹出による吸引効果を実現し、その出口空気によって達成された前記吸引効果の結果として、追加の空気が、前記少なくとも１つの第２の開口を介して前記チャンバー内の前記出口空気の領域内に移送され、前記出口空気及び前記追加の空気は、前記チャンバー内において、前記出口空気及び追加の空気の混合物が排出される前記出力開口よりも前で互いに少なくとも部分的に混合することを主に特徴とする。
【０００９】
本発明による方法はまた、請求項２から１２に記載されているものを特徴とする。
【００１０】
本発明による装置は、前記外方吹出パイプの前記外方吹出端は、少なくとも１つの出力開口と少なくとも１つの第２の開口とを備えるチャンバー内に収容され、前記少なくとも１つの第２の開口において、吸引効果が前記出口空気の前記吹出によって達成され、そのため、前記出口空気によって達成された前記吸引効果の結果として、追加の空気が、少なくとも１つの第２の開口を介して前記チャンバー内の前記出口空気の領域内にもたらされることを主に特徴とし、前記出口空気及び前記追加の空気は、前記チャンバー内において、前記出口空気及び追加の空気の混合物が排出される前記出力開口よりも前で互いに少なくとも部分的に混合するようになっていることを主に特徴とする。
【００１１】
本発明による装置はまた、請求項１４から２５に記載されているものを特徴とする。
【００１２】
本発明による解決策は、複数の重要な利点を有する。本発明による解決策によれば、出口空気の領域に空気を追加することによって出口空気の臭気公害を本質的に削減することが可能である。外方吹出パイプの外方吹出端の少なくとも周りに配置された外側パイプからチャンバーを形成することによって、製造にも非常に適した装置のための柔軟な解決策が達成される。外側パイプ及び／又は外方吹出パイプの外方吹出端の形状を成形することによって、この装置の追加の空気の混合効果及び／又は吸引効果に影響を与えることができる。この装置は、廃棄物ステーション又は廃棄物室から臭気を除去するのにも用いられることができる。出力開口付近の空気流を誘導又は拡散することによって、知覚される臭気公害を更に削減することができる。本発明による解決策によれば、従来技術の騒音問題も本質的に低減することができる。作動媒体が吹出空気であるエジェクターデバイスを出口空気用のパイプと接続して配置することによって、出口空気の領域内への追加の空気の極めて効果的な取り込みが達成される。複数の外方吹出パイプを隣接してグループに配置することによって、それらの吹出の結合効果の結果、流速を増大させることができ、追加の空気に対するより効果的な吸引効果を達成することができる。これによって、吹出空気への追加の空気の混合が更に強化される。追加の空気の混合は、本発明の１つの実施の形態によれば、複数の段階に構成することができる。
【００１３】
以下、本発明を、添付図面を参照してその実施形態の例を用いてより詳細に説明する。
【図面の簡単な説明】
【００１４】
【図１】本発明の一実施形態による１つのデバイスの簡略断面図である。
【図２】方向Ａから見た図１のデバイスを示す図である。
【図３】本発明の一実施形態による１つのデバイスの簡略断面図である。
【図４】方向Ｂから見た図２のデバイスを示す図である。
【図５】廃棄物ステーションと接続した本発明の一実施形態による１つのデバイスの簡略化された部分的に図式的な図である。
【図６】本発明の一実施形態の１つのデバイスの簡略断面図である。
【図７】本発明の一実施形態の更に別のデバイスの簡略断面図である。
【図８】方向Ｃから見た図５のデバイスを示す図である。
【図９】図１０の線ＩＸ−ＩＸに沿って切断された本発明の一実施形態による１つのデバイスの簡略断面図である。
【図１０】方向Ｄから見た図９のデバイスを示す図である。
【図１１】図１２の線ＸＩ−ＸＩに沿って切断された本発明の一実施形態による１つのデバイスの更に別の簡略断面図である。
【図１２】方向Ｅから見た図１１のデバイスを示す図である。
【図１３】本発明の一実施形態の１つの解決策を示す図である。
【発明を実施するための形態】
【００１５】
図１は、本発明の一実施形態の１つの解決策の簡略図を示している。この図には、廃棄物用の空気圧式パイプ移送システムの外方吹出パイプ１が一部分のみ示されている。第２のパイプ部材、すなわち外側パイプ１０が、外方吹出パイプ１の周りに配置されている。図１の外側パイプ１０は、直線状のパイプ部材であり、その第１の端１２（図の下端）は、外方吹出パイプ１の外方吹出端１１から出口パイプの入力方向に向かって、すなわち、出口パイプの気体の入力方向に対して反対方向に、或る程度延在する。外側パイプの第２の端１４、すなわち図１の上端は、外方吹出パイプ１の外方吹出端１１から外方吹出パイプの気体の主吹出方向（図１の上方）に或る距離だけ延在する。留め部材１３が、外方吹出パイプと外側パイプとの間に配置されている。図１の実施形態では、外側パイプ１０は、外方吹出パイプ１と本質的に同軸である。外側パイプ及び外方吹出パイプによって仕切られたリング状空間が、外方吹出パイプ１と外側パイプ１０との間に維持され、また、留め部材１３もそれらの間に維持される。外側パイプの底部１２と外方吹出パイプ１との間に開口１６がある。出口空気が、外方吹出パイプ１の外方吹出開口からチャンバー２４内に吹き出されるとき、外側パイプ１０と外方吹出パイプ１との間に吸引が達成され、この吸引によって、外側パイプの底部１２と外方吹出パイプ１との間の開口１６から追加の空気が引き込まれる。この追加の空気は、チャンバー２４内において、外側パイプの上端１４よりも前で、外方吹出パイプ１の外方吹出開口から来た出口空気に混合する。この場合、臭気の原因となる成分が空気体積に対して含まれる量は、外方吹出パイプから吹き出される空気よりも外側パイプの出力開口２２から吹き出される空気の方が正に少ない。これによって、出口空気の知覚される臭気公害が削減される。本発明によるデバイスのエジェクター効果、すなわち吸引効果は、図において行われているように、外方吹出パイプの端１１を絞る（choking）ことによって、例えば、外方吹出パイプのこの端を円錐台の一点に集まっていく部分となるように形成することによって、この端を成形することにより改善することができる。なお、この円錐は外方吹出端に向かって小さくなっている。
【００１６】
図３及び図４は、第２の実施形態を示している。この第２の実施形態では、外側パイプ１０は、外方吹出パイプの外方吹出端の高さから開始して外側パイプの第２の端１４に向かって円錐台のように拡大する。外側パイプ１０のこの拡大セクション１５は、開口１６から出口空気の領域内に入ってくる追加の空気が、チャンバー２４内において、外側パイプの第２の端１４及び出力開口２２よりも前で、出口空気の領域に可能な限り良好に混合するように形成されている。
【００１７】
図５及び図８は、外側パイプ１０が外方吹出パイプ１の全長のかなりの部分にわたって延在する本発明による一実施形態を示している。外側パイプ１０の下端１２は、廃棄物ステーション２５又は廃棄物室の構造部内に配置されている。この場合、外側パイプ１０と外方吹出パイプ１との間の開口１６は、廃棄物ステーション２５又は廃棄物室の内側空間に開いている。この場合、外方吹出パイプ１の出口空気によって外側パイプ１０と外方吹出パイプ１との間のダクト空間内において開口１６から達成される吸引によって、廃棄物ステーション２５の内側空間の空気は、外側パイプと外方吹出パイプとの間の空間内を外側パイプの上端１４に向かって案内される。少なくとも１つの開口１７、図の実施形態では複数の開口１７が、外側パイプ１０に追加して形成されている。この開口から追加の空気を外側パイプの内側空間内に案内し、そして、前方のチャンバー２４内に案内することができる。図５の簡略化した装置は、次のように機能する。すなわち、駆動デバイス３を用いて駆動される部分真空発生器２が、当該部分真空発生器の吸引側から分離手段４までのパイプライン６と接続されている。この分離手段は、例えば、サイクロンセパレータとすることができる。空気圧式廃棄物移送システムの転送配管５が、分離手段４に、例えば、分離手段の上部８に接続されている。この場合、転送される廃棄物材料は、分離手段４において搬送空気から分離される。より重い粒子及び廃棄物は、例えば、遠心力及び／又は重力によって分離手段内を移動し、当該分離手段の底部９に入る。これらの粒子及び廃棄物は、この底部から、例えば、分離手段の下にある廃棄物コンテナー２６内に随時移される。一方で、廃棄物から分離された搬送空気は、分離手段４よりその上部７から部分真空発生器２の吹出側に案内され、そして、前方の外方吹出パイプ１内に案内される。外方吹出パイプ１の出口空気によって外側パイプ１０と外方吹出パイプ１との間において開口１６から達成される吸引によって、廃棄物ステーションの内側空間の空気は、外側パイプ１０と外方吹出パイプ１との間の空間内を外側パイプの上端１４に向かって案内される。このようにして、廃棄物ステーション又は廃棄物室の換気すなわち空気の通風が達成される。加えて、外側パイプ１０に形成された少なくとも１つの開口１７から、追加の空気が吸引の効果により、出口空気及び廃棄物ステーションから案内された空気の領域内に案内される。この場合、臭気公害の原因となる粒子が空気の全体積と比較して減少し、そして、外側パイプの出力開口を介して外部に案内される空気の知覚される臭気公害が減少する。
【００１８】
図６によれば、外側パイプ１０の出力開口２２の配置又は成形を用いて、出口空気を外方吹出方向にガイドすることができる。出口空気を、チャンバー２４より外側パイプ１０の上端１４から出力開口２２の外部へ種々の方向に案内／ガイドすることができる。この場合、出口空気の空気体積が種々の方向により幅広く分散すると、知覚される臭気公害を更に削減することができる。加えて、外部に吹き出される空気は、出力開口付近に効果的に拡散されるとき、周囲の空気によりよく混合する。図６では、空気流のガイド／ディフューザー２３が、外側パイプの上端に配置され、ガイド面２１が、外側パイプの上端に配置されている。このガイド面は、少なくとも部分的に横断方向、例えば径方向に出口空気を偏向／拡散するように、外側パイプ１０の出力開口２２からの出口空気を種々の方向に偏向／拡散する。
【００１９】
図７の実施形態は、サウンドディフューザー２０が外側パイプと接続して配置されている本発明による解決策の一実施形態を構成している。このサウンドディフューザーは、外側パイプに配置されており、この場合、拡張部が外側パイプに形成されており、この拡張部の内壁に、ミネラルウール等の音拡散材料ウールのような音拡散材料からなる好適な材料層１８が配置されている。金属ネット等のネット１９が、音拡散材料層１８の後に、外側パイプのチャンバー２４の内側壁に配置されている。
【００２０】
図９及び図１０は、外側パイプ１０を備える複数の外方吹出パイプ１が隣接してグループに配置されている本発明の一実施形態を示している。出口空気が、隣接して配置された外方吹出パイプ１の外方吹出開口から各チャンバー２４内に吹き出されるとき、外側パイプ１０と外方吹出パイプ１との間に吸引が生じ、この吸引によって、外側パイプの底部１２と外方吹出パイプ１との間の開口１６から追加の空気が引き込まれる。この追加の空気は、チャンバー２４内において、外側パイプの上端よりも前で、外方吹出パイプ１の外方吹出開口から来た出口空気に混合する。この場合、臭気の原因となる成分が空気体積に対して含まれる量は、外方吹出パイプから吹き出される空気よりも外側パイプの出力開口２２から吹き出される空気の方が正に少ない。これによって、出口空気の知覚される臭気公害が削減される。外方吹出パイプが隣接して配列されていることによって、吸引効果が増強され、したがって、混合が強化される。
【００２１】
図１１及び図１２は、複数の外方吹出パイプ１がグループに配置されており、当該外方吹出パイプのそれぞれの周りに外側パイプ１０が配置されている本発明の一実施形態を示している。このグループの外側パイプ２５が、外方吹出パイプのグループと接続して配置されている。
【００２２】
図１１及び図１２における外方吹出パイプのグループの外側パイプ２５は、直線状のパイプ部材であり、図における下端である、その第１の端２９は、外方吹出パイプ１の外側パイプ１０の外方吹出端から出口パイプの入力方向に向かって、すなわち、気体の入力方向に対して反対方向に、或る程度延在する。グループの外側パイプ２５の第２の端３０、すなわち図１１の上端は、外方吹出パイプの外側パイプ１０の外方吹出端から外方吹出パイプの気体の主吹出方向（図１１の上方）に或る距離だけ延在する。グループの外側パイプ２５と外方吹出パイプ１の外側パイプ１０との間に、グループの外側パイプ２５の内側表面及び外方吹出パイプの外側パイプ１０の外側表面によって仕切られた空間が維持される。グループの外側パイプ２５の底部２９と外方吹出パイプ１の外側パイプ１０との間に開口２６がある。出口空気が、外方吹出パイプ１の外方吹出開口から外側パイプ１０のチャンバー２４内に吹き出されるとき、外側パイプ１０と外方吹出パイプ１との間に吸引が生じ、この吸引によって、外側パイプの底部と外方吹出パイプ１との間の開口１６から追加の空気が引き込まれる。これに対応して、出口空気が、外側パイプの上端からグループの外側パイプのチャンバー２８内に吹き出されるとき、グループの外側パイプと外方吹出パイプの外側パイプとの間に吸引が生じ、この吸引によって、グループの外側パイプ２５の底部２９及び／又は外方吹出パイプの外側パイプ１０との間の開口２６から追加の空気が引き込まれる。この追加の空気は、チャンバー２８内において、グループの外側パイプ２５の上端３０よりも前で、外方吹出パイプ１及び外側パイプの外方吹出開口から来た出口空気に混合する。この場合、臭気の原因となる成分が空気体積に対して含まれる量は、外方吹出パイプから外部に吹き出される空気よりもグループの外側パイプ２５の出力開口２７から外部に吹き出される空気の方が正に少ない。これによって、出口空気の知覚される臭気公害が削減される。図１１及び図１２による解決策では、このように、追加の空気を２段階で出口空気に混合することができる。すなわち、第１の段階では、外方吹出パイプ１とその外側パイプ１０との間の開口からの追加の空気をチャンバー２４内において混合することができ、第２の段階では、外側パイプ１０とグループの外側パイプとの間の開口２６から案内される追加の空気にチャンバー２８内において混合することができる。
【００２３】
図１３は、複数の部分真空発生器２を備える構成を略図として更に示している。これらの部分真空発生器は、駆動デバイス３として用いられる。部分真空発生器２は、それらの吸引側から並列にパイプライン６に接続することができ、このパイプラインは、分離デバイス（図示せず）及び前方の転送配管（図示せず）に通じている。各部分真空発生器の吹出側、又は複数の部分真空発生器によって形成されたグループの吹出側は、それ自体のパイプラインとして外方吹出パイプ１及び前方の外側パイプ１０につながっている。各パイプライン１には、この図では、サウンドディフューザー３１が設けられている。
【００２４】
したがって、本発明は、空気圧式廃棄物搬送システムにおいて出口空気を処理するための方法であって、出口空気は、少なくとも部分的に、廃棄物搬送に用いられる搬送空気である、方法に関する。出口空気は、外方吹出パイプ１から、少なくとも１つの出力開口２２と少なくとも１つの第２の開口１６、１７とを備えるチャンバー２４内に吹き出され、第２の開口において、吸引効果が出口空気の吹出によって達成され、そのため、出口空気によって達成された吸引効果の結果として、追加の空気が、少なくとも１つの第２の開口１６、１７を介してチャンバー内の出口空気の領域内にもたらされ、出口空気及び追加の空気は、チャンバー２４内において、出口空気及び追加の空気の混合物が排出される出力開口２２よりも前で互いに少なくとも部分的に混合する。
【００２５】
１つの好ましい実施形態によれば、チャンバー２４は、外方吹出パイプ１の少なくとも外方吹出端１１の周りに配置された外側パイプ１０から形成される。
【００２６】
１つの好ましい実施形態によれば、少なくとも１つの第２の開口１６は、外側パイプ１０の底部１２と外方吹出パイプ１との間に形成されている。
【００２７】
１つの好ましい実施形態によれば、少なくとも１つの第２の開口１７は、外方吹出パイプの出口空気によって達成される吸引効果が作用するようになっている空間内へ外側パイプ１０の壁を貫通して配置されている。
【００２８】
１つの好ましい実施形態によれば、本方法では、少なくとも１つの第２の開口１７は、外方吹出パイプ１の外方吹出端１１のポイントから外方吹出方向に対して反対方向に延在するエリアにおいて外側パイプ１０の壁に配置されている。
【００２９】
１つの好ましい実施形態によれば、外側パイプ１０の底部１２は、廃棄物ステーション２５又は廃棄物室の上部に又は当該上部付近に延在し、そのため、廃棄物ステーション又は廃棄物室の空間から、外側パイプ１０と外方吹出パイプ１との間の空間への媒体接続が存在し、外方吹出によって、吸引が、外側パイプの底部の開口１６を介して廃棄物ステーション又は廃棄物室の空間に達成されるようになっている。
【００３０】
１つの好ましい実施形態によれば、本方法では、出口空気の吹出において生成される騒音がサウンドディフューザー２０を用いて減衰される。
【００３１】
１つの好ましい実施形態によれば、本方法では、除去される空気は、出力開口２２の付近においてガイド面２１を用いて誘導又は拡散される。
【００３２】
１つの好ましい実施形態によれば、本方法では、チャンバー２４は、出力開口２２に向かって拡大する。
【００３３】
１つの好ましい実施形態によれば、本方法では、外方吹出パイプ１が、複数の外方吹出パイプ１によって形成されるグループに配置される。
【００３４】
１つの好ましい実施形態によれば、本方法では、外方吹出パイプ１は、それらの吹出が互いに増強し合い、追加の空気に対して吹出によって達成される吸引効果を増強するように隣接するよう取り付けられている。
【００３５】
１つの好ましい実施形態によれば、本方法では、複数の外方吹出パイプ１によって形成されたグループの外方吹出空気は、第２のチャンバー２８内に吹き出され、第２のチャンバーは、外方吹出パイプによって形成されたグループの周りに少なくとも部分的に形成され、第２のチャンバーにおいて、追加の空気が、出口空気によって達成される吸引効果の結果として、少なくとも１つの吸引開口２６を介して出口空気の領域内にもたらされ、出口空気及び追加の空気は、第２のチャンバー２８内において、出口空気及び追加の空気の混合物が排出される出力開口２７よりも前で、互いに少なくとも部分的に混合する。
【００３６】
本発明はまた、空気圧式廃棄物搬送システムにおいて出口空気を処理するための装置であって、出口空気は、少なくとも部分的に、廃棄物搬送に用いられる搬送空気であり、装置は、外方吹出パイプ１を備えるとともに、出口空気を外方吹出パイプ内に案内するためのデバイスも備える、装置に関する。外方吹出パイプ１の外方吹出端１１は、少なくとも１つの出力開口２２と少なくとも１つの第２の開口１６、１７とを備えるチャンバー２４内に収容され、少なくとも１つの第２の開口１６、１７において、吸引効果が出口空気の吹出によって達成され、そのため、出口空気によって達成された吸引効果の結果として、追加の空気が、少なくとも１つの第２の開口１６、１７を介してチャンバー内の出口空気の領域内にもたらされることを特徴とし、出口空気及び追加の空気は、チャンバー２４内において、出口空気及び追加の空気の混合物が排出される出力開口２２よりも前で互いに少なくとも部分的に混合するようになっている。
【００３７】
１つの好ましい実施形態によれば、チャンバー２４は、外方吹出パイプ１の少なくとも外方吹出端１１の周りに配置された外側パイプ１０から形成されている。
【００３８】
１つの好ましい実施形態によれば、少なくとも１つの第２の開口１６は、外側パイプ１０の底部１２と外方吹出パイプ１との間に形成されている。
【００３９】
１つの好ましい実施形態によれば、少なくとも１つの第２の開口１７は、外方吹出パイプの出口空気によって達成される吸引効果が作用するようになっている空間内へ外側パイプ１０の壁を貫通して配置されている。
【００４０】
１つの好ましい実施形態によれば、少なくとも１つの第２の開口１７は、外方吹出パイプ１の外方吹出端１１のポイントから外方吹出方向に対して反対方向に延在するエリアにおいて外側パイプ１０の壁に配置されている。
【００４１】
１つの好ましい実施形態によれば、外側パイプ１０の底部１２は、廃棄物ステーション２５又は廃棄物室の上部に又は上部付近に延在し、そのため、廃棄物ステーション又は廃棄物室の空間から、外側パイプ１０と外方吹出パイプ１との間の空間への媒体接続が存在し、外方吹出によって、吸引が、外側パイプの底部の開口１６を介して廃棄物ステーション又は廃棄物室の空間に達成されるようになっている。
【００４２】
１つの好ましい実施形態によれば、本装置は、外方吹出によって生成される騒音を減衰するための手段１８、１９、２０を備える。
【００４３】
１つの好ましい実施形態によれば、本装置は、除去される空気流を出力開口２２付近において誘導又は拡散するためのガイド面２１を備える。
【００４４】
１つの好ましい実施形態によれば、チャンバー２４は、出力開口２２に向かって拡大する。
【００４５】
１つの好ましい実施形態によれば、外方吹出パイプ１が、複数の外方吹出パイプ１によって形成されるグループに配置される。
【００４６】
１つの好ましい実施形態によれば、外方吹出パイプ１は、それらの吹出が互いに増強し合い、吹出によって達成される吸引効果を増強するように隣接するよう取り付けられている。
【００４７】
１つの好ましい実施形態によれば、外方吹出パイプ１の外方吹出端１１、又は複数の外方吹出パイプによって形成されたグループの外側パイプ１０の出力開口２２は、少なくとも１つの出力開口２７と少なくとも１つの第２の開口２６とを備える第２のチャンバー２８内に収容され、第２のチャンバー２８において、出口空気によって達成された吸引効果の結果として、追加の空気が、少なくとも１つの吸引開口２６を介して出口空気の領域内にもたらされ、出口空気及び追加の空気は、第２のチャンバー２８内において、出口空気及び追加の空気の混合物が排出される出力開口２７よりも前で互いに少なくとも部分的に混合する。
【００４８】
１つの好ましい実施形態によれば、第２のチャンバー２８は、外方吹出パイプ１又は外側パイプ１０の少なくとも外方吹出端の周りに配置された外側パイプ２５のグループから形成されている。
【００４９】
本発明は、上記で示された実施形態に限定されないが、添付の特許請求の範囲の範囲内で変えることができることが当業者に明らかである。他の特徴とともに本明細書において示された可能性のある特徴は、必要であれば互いに別々に使用することもできる。
【図１】
2013541483.tif 000003
【図２】
2013541483.tif 000004
【図３】
2013541483.tif 000005
【図４】
2013541483.tif 000006
【図５】
2013541483.tif 000007
【図８】
2013541483.tif 000008
【図９】
2013541483.tif 000009
【図１０】
2013541483.tif 000010
【図１１】
2013541483.tif 000011
【図１２】
2013541483.tif 000012
【図１３】
2013541483.tif 000013
【図６】
2013541483.tif 000014
【図７】
2013541483.tif 000015
【国際調査報告】
2013541483.tif 000016
2013541483.tif 000017
2013541483.tif 000018
2013541483.tif 000019
2013541483.tif 000020